(57)【要約】【課題】挿入されたカードの引抜きを防止する引抜き防止部材を備えるカードリーダにおいて、粉塵の多い環境下や汚れが付着しやすい環境下で使用されても、カードリーダの内部に挿入されたカードをカードリーダから引き抜きやすくすることが可能なカードリーダを提供する。【解決手段】カードリーダ１では、カードリーダ１に挿入されたカード２の引抜きを閉位置９Ａで防止する引抜き防止部材９は、引抜き防止部材９が閉位置９Ａに配置されているときにカード移動路４の一部を閉鎖するカード当接部９ｃを備えている。カードリーダ１へのカード２の挿入方向側を奥側とすると、カード２の幅方向であるＹ方向におけるカード当接部９ｃの奥端部の幅は、奥側に向かうにしたがって狭くなっている。【選択図】図２
2020197890.tif 000002
【特許請求の範囲】
【請求項１】
カードに記録されたデータの読取りおよび前記カードへのデータの記録の少なくともいずれか一方を行うカードリーダにおいて、
前記カードが移動するカード移動路と、前記カード移動路を閉鎖する閉位置と前記カード移動路を開放する開位置との間で回動可能に構成され前記カードリーダに挿入された前記カードの引抜きを前記閉位置で防止する引抜き防止部材と、前記閉位置に向かって前記引抜き防止部材を付勢する付勢部材と、前記閉位置に配置される前記引抜き防止部材に当接して前記引抜き防止部材の回動を規制する回動規制部材と、前記引抜き防止部材の回動を規制する回動規制位置と前記引抜き防止部材の回動を可能にする回動可能位置との間で前記回動規制部材を移動させる移動機構とを備え、
前記カード移動路を移動する前記カードの移動方向と前記カード移動路を移動する前記カードの厚さ方向とに直交する方向を前記カードの幅方向とし、前記カードの移動方向のうちの、前記カードリーダへの前記カードの挿入方向側を奥側とし、奥側の反対側である前記カードリーダからの前記カードの引抜き方向側を手前側とすると、
前記引抜き防止部材は、前記引抜き防止部材が前記閉位置に配置されているときに前記カード移動路の一部を閉鎖するカード当接部を備えるとともに、前記カードの幅方向を回動の軸方向として回動可能になっており、
前記カード当接部の奥端には、前記引抜き防止部材が前記閉位置に配置されているときに、前記カードリーダに挿入されている前記カードの手前端が接触可能となっており、
前記カードの幅方向における前記カード当接部の奥端部の幅は、奥側に向かうにしたがって狭くなっていることを特徴とするカードリーダ。
【請求項２】
前記カードの厚さ方向から見たときに、前記カード当接部の奥端部の、前記カードの幅方向における両側面は、奥側に向かうにしたがって互いに近づくように前記カードの移動方向に対して傾斜していることを特徴とする請求項１記載のカードリーダ。
【請求項３】
前記カード当接部の奥端は、凸曲面状に形成されていることを特徴とする請求項１または２記載のカードリーダ。
【請求項４】
前記カード当接部の手前端には、前記引抜き防止部材が前記閉位置に配置されているときに、前記カードリーダに挿入される前記カードの奥端が接触可能となっており、
前記カードの幅方向における前記カード当接部の手前端部の幅は、手前側に向かうにしたがって狭くなっていることを特徴とする請求項１から３のいずれかに記載のカードリーダ。
【発明の詳細な説明】
【技術分野】
【０００１】
本発明は、カードに記録されたデータの読取りやカードへのデータの記録を行うカードリーダに関する。
【背景技術】
【０００２】
従来、ユーザが手動でカードを操作して、カードに記録されたデータの読取りやカードへのデータの記録を行ういわゆるディップ式のカードリーダが知られている（たとえば、特許文献１参照）。特許文献１に記載のカードリーダの内部には、カード挿入口から挿入されたカードが移動するカード移動路が形成されている。このカードリーダは、カードに内蔵されたＩＣチップとデータの通信を行うためのＩＣ接点ブロックを備えている。
【０００３】
また、特許文献１に記載のカードリーダは、カードリーダの内部に挿入されたカードの引抜きを防止するレバー部材を備えている。レバー部材の手前端側には、カードリーダの内部に挿入されたカードの手前端が当接する突出部が形成されている。レバー部材は、突出部がカード移動路を閉鎖する閉位置と突出部がカード移動路を開放する開位置との間で回動可能となっており、挿入されたカードの引抜きを閉位置で防止する。また、このカードリーダは、閉位置に向かってレバー部材を付勢するネジリコイルバネと、閉位置でレバー部材の回動を規制する規制ピンと、レバー部材の回動を規制する回動規制位置とレバー部材の回動を可能にする回動可能位置との間で規制ピンを移動させるソレノイドとを備えている。
【０００４】
特許文献１に記載のカードリーダでは、カードリーダにカードが挿入されていないときには、レバー部材は、ネジリコイルバネの付勢力によって閉位置に配置されており、突出部は、カード移動路の手前端側を閉鎖している。この状態でカードが挿入されると、突出部の手前端に形成される傾斜面にカードの奥端が接触する。突出部の手前端に形成される傾斜面にカードの奥端が接触すると、傾斜面がカードの奥端に沿って移動するため、レバー部材がネジリコイルバネの付勢力に抗して開位置まで回動して、カード移動路の手前端側が開放される。
【０００５】
また、カードがカードリーダの奥側の所定の位置まで挿入されると、レバー部材は、ネジリコイルバネの付勢力で回動して閉位置に戻り、突出部がカード移動路の手前端側を閉鎖する。この状態で、ソレノイドが駆動して、回動可能位置に配置されている規制ピンが回動規制位置まで移動し、閉位置に配置されるレバー部材の回動が規制される。この状態で、カードとカードリーダとの間でデータの通信が行われる。また、この状態では、ユーザがカードを手前側に引き抜こうとしても、カード移動路の手前端側を閉鎖する突出部によってカードの引抜きが防止される。
【０００６】
カードとカードリーダとの間でデータの通信が終了すると、ソレノイドへの通電が停止されて、回動規制位置に配置されている規制ピンが回動可能位置に移動し、レバー部材が回動可能な状態となる。この状態で、カードが手前側に向かって引き抜かれると、突出部の奥端に形成される当接面にカードの手前端が接触する。突出部の奥端に形成される当接面にカードの手前端が接触すると、当接面がカードの手前端に沿って移動するため、レバー部材がネジリコイルバネの付勢力に抗して開位置まで回動して、カード移動路の手前端側が開放される。
【先行技術文献】
【特許文献】
【０００７】
【特許文献１】特開２０１０−２６８２６号公報
【発明の概要】
【発明が解決しようとする課題】
【０００８】
特許文献１に記載のカードリーダは、近年、様々な環境下で使用されるようになっており、たとえば、粉塵の多い環境下や汚れが付着しやすい環境下で使用されることもある。このような環境下でカードリーダが使用された場合に、レバー部材の突出部の奥端に形成される当接面に粉塵や汚れが付着すると、突出部の当接面とカードの手前端との間の摩擦力が大きくなって、カードを手前側に引き抜く際に、突出部の当接面がカードの手前端に沿って移動しなくなるおそれがある。突出部の当接面がカードの手前端に沿って移動しなくなると、閉位置に配置されるレバー部材がネジリコイルバネの付勢力に抗して開位置まで回動しなくなるため、カードリーダからカードを引き抜くことができなくなるおそれがある。
【０００９】
そこで、本発明の課題は、挿入されたカードの引抜きを防止する引抜き防止部材を備えるカードリーダにおいて、粉塵の多い環境下や汚れが付着しやすい環境下で使用されても、カードリーダの内部に挿入されたカードをカードリーダから引き抜きやすくすることが可能なカードリーダを提供することにある。
【課題を解決するための手段】
【００１０】
上記の課題を解決するため、本発明のカードリーダは、カードに記録されたデータの読取りおよびカードへのデータの記録の少なくともいずれか一方を行うカードリーダにおいて、カードが移動するカード移動路と、カード移動路を閉鎖する閉位置とカード移動路を開放する開位置との間で回動可能に構成されカードリーダに挿入されたカードの引抜きを閉位置で防止する引抜き防止部材と、閉位置に向かって引抜き防止部材を付勢する付勢部材と、閉位置に配置される引抜き防止部材に当接して引抜き防止部材の回動を規制する回動規制部材と、引抜き防止部材の回動を規制する回動規制位置と引抜き防止部材の回動を可能にする回動可能位置との間で回動規制部材を移動させる移動機構とを備え、カード移動路を移動するカードの移動方向とカード移動路を移動するカードの厚さ方向とに直交する方向をカードの幅方向とし、カードの移動方向のうちの、カードリーダへのカードの挿入方向側を奥側とし、奥側の反対側であるカードリーダからのカードの引抜き方向側を手前側とすると、引抜き防止部材は、引抜き防止部材が閉位置に配置されているときにカード移動路の一部を閉鎖するカード当接部を備えるとともに、カードの幅方向を回動の軸方向として回動可能になっており、カード当接部の奥端には、引抜き防止部材が閉位置に配置されているときに、カードリーダに挿入されているカードの手前端が接触可能となっており、カードの幅方向におけるカード当接部の奥端部の幅は、奥側に向かうにしたがって狭くなっていることを特徴とする。
【００１１】
本発明のカードリーダでは、カードリーダに挿入されたカードの引抜きを閉位置で防止する引抜き防止部材は、引抜き防止部材が閉位置に配置されているときにカード移動路の一部を閉鎖するカード当接部を備えている。また、本発明では、カードの幅方向におけるカード当接部の奥端部の幅は、奥側に向かうにしたがって狭くなっている。そのため、本発明では、カードの幅方向におけるカード当接部の奥端の幅を狭くすることが可能になる。したがって、本発明では、カード当接部の奥端にカードの手前端が接触したときの、カード当接部の奥端とカードの手前端との接触面積を小さくすることが可能になる。
【００１２】
そのため、本発明では、粉塵の多い環境下や汚れが付着しやすい環境下でカードリーダが使用されて、カード当接部の奥端に粉塵や汚れが付着しても、カード当接部の奥端にカードの手前端が接触したときの、カード当接部の奥端とカードの手前端との間の摩擦力を低減することが可能になり、その結果、カードを手前側に引き抜く際に、カード当接部の奥端をカードの手前端に沿って移動させやすくなる。
【００１３】
すなわち、本発明では、粉塵の多い環境下や汚れが付着しやすい環境下でカードリーダが使用されて、カード当接部の奥端に粉塵や汚れが付着しても、カードを手前側に引き抜く際に、閉位置に配置される引抜防止部材を開位置まで回動させやくなる。したがって、本発明では、粉塵の多い環境下や汚れが付着しやすい環境下でカードリーダが使用されても、カードリーダの内部に挿入されたカードをカードリーダから引き抜きやすくすることが可能になる。
【００１４】
本発明において、たとえば、カードの厚さ方向から見たときに、カード当接部の奥端部の、カードの幅方向における両側面は、奥側に向かうにしたがって互いに近づくようにカードの移動方向に対して傾斜している。
【００１５】
本発明において、カード当接部の奥端は、凸曲面状に形成されていることが好ましい。このように構成すると、カードの幅方向におけるカード当接部の奥端の幅が狭くなっていても、カード当接部の奥端にカードの手前端が当接したときに、カードに傷がつきにくくなる。
【００１６】
本発明において、カード当接部の手前端には、引抜き防止部材が閉位置に配置されているときに、カードリーダに挿入されるカードの奥端が接触可能となっており、カードの幅方向におけるカード当接部の手前端部の幅は、手前側に向かうにしたがって狭くなっていることが好ましい。このように構成すると、カードの幅方向におけるカード当接部の手前端の幅を狭くすることが可能になるため、カード当接部の手前端にカードの奥端が接触したときの、カード当接部の手前端とカードの奥端との接触面積を小さくすることが可能になる。
【００１７】
したがって、カード当接部の手前端に粉塵や汚れが付着しても、カード当接部の手前端にカードの奥端が接触したときの、カード当接部の手前端とカードの奥端との間の摩擦力を低減することが可能になり、その結果、カードリーダにカードを挿入する際に、カード当接部の手前端をカードの奥端に沿って移動させやすくなる。すなわち、カード当接部の奥端に粉塵や汚れが付着しても、カードリーダにカードを挿入する際に、閉位置に配置される引抜防止部材を開位置まで回動させやくなる。そのため、粉塵の多い環境下や汚れが付着しやすい環境下でカードリーダが使用されても、カードリーダにカードを挿入しやすくすることが可能になる。
【発明の効果】
【００１８】
以上のように、本発明では、挿入されたカードの引抜きを防止する引抜き防止部材を備えるカードリーダが粉塵の多い環境下や汚れが付着しやすい環境下で使用されても、カードリーダの内部に挿入されたカードをカードリーダから引き抜きやすくすることが可能になる。
【図面の簡単な説明】
【００１９】
【図１】本発明の実施の形態にかかるカードリーダの構成を説明するための平面図である。
【図２】図１に示すカードリーダの概略構成を側面から説明するための図である。
【図３】（Ａ）は、図１に示すカードリーダにカードを挿入している最中の状態を説明するための側面図であり、（Ｂ）は、図１に示すカードリーダへのカードの挿入が完了した状態を説明するための側面図である。
【図４】（Ａ）は、図１に示すレバー部材の側面図であり、（Ｂ）は、図１に示すレバー部材の底面図である。
【図５】図４（Ｂ）のＥ部の拡大図である。
【発明を実施するための形態】
【００２０】
以下、図面を参照しながら、本発明の実施の形態を説明する。
【００２１】
（カードリーダの概略構成）
図１は、本発明の実施の形態にかかるカードリーダ１の構成を説明するための平面図である。図２は、図１に示すカードリーダ１の概略構成を側面から説明するための図である。
【００２２】
本形態のカードリーダ１は、ユーザが手動でカード２を操作して、カード２に記録されたデータの読取りおよびカード２へのデータの記録の少なくともいずれか一方を行うための装置である。具体的には、カードリーダ１は、カードリーダ１へのカード２の挿入とカードリーダ１からのカード２の引抜きとを手動で行ってデータの読取りや記録を行ういわゆるディップ式のカードリーダである。このカードリーダ１は、所定の上位装置（図示省略）に搭載されて使用される。
【００２３】
カードリーダ１には、カード挿入口３から挿入されるカード２が移動するカード移動路４が形成されている。カードリーダ１は、複数のＩＣ接点バネを有するＩＣ接点ブロック６と、磁気ヘッド７とを備えている。また、カードリーダ１は、カードリーダ１に挿入されたカード２の引抜きを防止する引抜き防止部材としてのレバー部材９を備えている。レバー部材９は、カード移動路４を閉鎖する閉位置９Ａ（図２、図３（Ｂ）に示す位置）とカード移動路４を開放する開位置９Ｂ（図３（Ａ）に示す位置）との間で回動可能となっている。レバー部材９は、カードリーダ１に挿入されたカード２の引抜きを閉位置９Ａで防止する。
【００２４】
さらに、カードリーダ１は、閉位置９Ａに向かってレバー部材９を付勢する付勢部材としてのネジリコイルバネ１０と、閉位置９Ａに配置されるレバー部材９に当接してレバー部材９の回動を規制する回動規制部材としての規制ピン１１と、レバー部材９の回動を規制する回動規制位置１１Ａ（図３（Ｂ）に示す位置）とレバー部材９の回動を可能にする回動可能位置１１Ｂ（図２、図３（Ａ）に示す位置）との間で規制ピン１１を移動させる移動機構としてのソレノイド１２とを備えている。
【００２５】
また、カードリーダ１は、カード２の有無を検知するためのセンサ１４、１５を備えている。センサ１４、１５は、対向配置される発光素子と受光素子とを備える透過型の光学式センサである。なお、以下の説明では、センサ１４、１５の発光素子から受光素子へ向かう光が遮られている状態をセンサ１４、１５のオン状態とし、センサ１４、１５の受光素子が発光素子からの光を受光している状態をセンサ１４、１５のオフ状態とする。
【００２６】
本形態では、図１等に示すＸ方向にカード２が移動する。すなわち、Ｘ方向は、カード移動路４を移動するカード２の移動方向である。また、Ｘ方向に直交する図１等のＺ方向は、カード移動路４を移動するカード２の厚さ方向であり、Ｘ方向とＺ方向とに直交する図１等のＹ方向は、カード移動路４を移動するカード２の幅方向である。以下の説明では、Ｘ方向を前後方向とし、Ｙ方向を左右方向とし、Ｚ方向を上下方向とする。
【００２７】
また、以下の説明では、前後方向の一方側である図１等のＸ１方向側を「前」側または「手前」側とし、前側の反対側である図１等のＸ２方向側を「後ろ」側または「奥」側とし、左右方向の一方側である図１等のＹ１方向側を「右」側とし、右側の反対側である図１等のＹ２方向側を「左」側とし、上下方向の一方側である図２等のＺ１方向側を「上」側とし、上側の反対側である図２等のＺ２方向側を「下」側とする。また、以下の説明では、図２の時計回りの方向を「時計方向」とし、図２の反時計回りの方向を「反時計方向」とする。
【００２８】
カード２は、厚さが０．７〜０．８ｍｍ程度の矩形状の塩化ビニール製のカードである。カード２の裏面には、磁気データが記録される磁気ストライプが形成されている。また、カード２には、ＩＣチップが内蔵されており、カード２のおもて面には、ＩＣチップの外部接続端子が形成されている。なお、カード２には、磁気ストライプが形成されていなくても良い。また、カード２に、通信用のアンテナが内蔵されても良い。また、カード２は、厚さが０．１８〜０．３６ｍｍ程度のＰＥＴ（ポリエチレンテレフタレート）カードや、所定の厚さの紙カード等であっても良い。
【００２９】
カード２は、カード２のおもて面が上側を向くとともにカード２の長手方向が前後方向と略一致した状態でカードリーダ１に挿入される。具体的には、カード２は、奥側に向かってカードリーダ１に挿入される。また、カード２は、手前側に向かってカードリーダ１から引き抜かれる。すなわち、奥側（Ｘ２方向側）は、カードリーダ１へのカード２の挿入方向側であり、手前側（Ｘ１方向側）は、カードリーダ１からのカード２の引抜き方向側である。
【００３０】
図１に示すように、カードリーダ１の手前端側の一部分は、ユーザによるカード２の挿入およびカード２の引抜きが可能となるように切り欠かれた切欠部１６となっている。切欠部１６は、カードリーダ１のフレームの手前端から奥側に向かって切り欠かれるように形成されている。また、左右方向では、カードリーダ１のフレームの中間位置に切欠部１６が形成されており、左右方向における切欠部１６の両側には、突出部１７、１８が形成されている。突出部１７は、切欠部１６の右側に配置され、突出部１８は、切欠部１６の左側に配置されている。切欠部１６の左右方向の幅は、ユーザの指が入る広さとなっている。
【００３１】
図２に示すように、カード移動路４は、左右方向から見たときの形状が直線状となるように形成されている。カード移動路４の手前端は、カード挿入口３となっている。図１の２点鎖線で示すように、カードリーダ１の奥側に挿入されたカード２の一部は切欠部１６において露出する。磁気ヘッド７は、突出部１７の手前端部分に配置されている。また、磁気ヘッド７は、下側からカード移動路４に臨むように配置されている。
【００３２】
ＩＣ接点ブロック６は、カードリーダ１の奥端側部分に配置されている。また、ＩＣ接点ブロック６は、ＩＣ接点バネが上側からカード移動路４に臨むように配置されており、ＩＣ接点ブロック６は、カード移動路４の上側に配置されている。ＩＣ接点ブロック６は、平行リンク機構２０を介してカードリーダ１のフレームの上面側部分に連結されており、前後方向にスライドしながら上下動する。ＩＣ接点ブロック６は、引張りコイルバネ２１によって手前側に付勢されている。
【００３３】
本形態では、カードリーダ１の奥側へ挿入されたカード２の先端（奥端）がＩＣ接点ブロック６のカード係合部（図示省略）に係合すると、ＩＣ接点ブロック６が奥側にスライドしながら下降して、カード２の外部接続端子に複数のＩＣ接点バネが接触する。また、奥側に挿入されたカード２が手前側に引き抜かれると、カード２のおもて面からＩＣ接点バネが離れるように、引張りコイルバネ２１の付勢力によって、ＩＣ接点ブロック６が手前側にスライドしながら上昇する。
【００３４】
なお、ＩＣ接点ブロック６には、カードリーダ１の奥端側でカード２の有無を検知するための遮光部６ａが形成されている。本形態では、引張りコイルバネ２１の付勢力でＩＣ接点ブロック６が手前側にあるときに、センサ１５の受光素子が発光素子からの光を受光している。一方、カードリーダ１にカード２が挿入されて、ＩＣ接点ブロック６が奥側にスライドし、カード２の外部接続端子にＩＣ接点バネが接触すると、センサ１５の発光素子から受光素子へ向かう光を遮光部６ａが遮る。本形態では、センサ１５の発光素子から受光素子へ向かう光を遮光部６ａが遮って、センサ１５がオン状態になると、カードリーダ１の奥端側にカード２があることが検知される。
【００３５】
（レバー部材の構成）
図３（Ａ）は、図１に示すカードリーダ１にカード２を挿入している最中の状態を説明するための側面図であり、図３（Ｂ）は、図１に示すカードリーダ１へのカード２の挿入が完了した状態を説明するための側面図である。図４（Ａ）は、図１に示すレバー部材９の側面図であり、図４（Ｂ）は、図１に示すレバー部材９の底面図である。図５は、図４（Ｂ）のＥ部の拡大図である。
【００３６】
レバー部材９は、上述のように、カードリーダ１に挿入されたカード２の引抜きを防止する機能を果たしている。具体的には、レバー部材９は、カード２の外部接続端子にＩＣ接点バネが接触してカード２とカードリーダ１との間でデータの通信を行っているときに、カード２の引抜きを防止する機能を果たしている。レバー部材９は、樹脂で形成されている。また、レバー部材９は、全体として細長い棒状に形成されており、レバー部材９の長手方向と前後方向とが略一致するように、カードリーダ１の右端側に配置されている。
【００３７】
レバー部材９は、レバー部材９の回動中心となる回動中心部９ａと、回動中心部９ａから手前側に向かって延びる延出部９ｂと、延出部９ｂの手前端から下側に突出するカード当接部９ｃと、回動中心部９ａから奥側に向かって延びる延出部９ｄとを備えている。回動中心部９ａは、カード移動路４の上側に配置されている。回動中心部９ａには、レバー部材９を回動可能に支持する固定軸２５が挿通されている。回動中心部９ａには、固定軸２５が挿通される軸孔９ｅが形成されている（図４（Ａ）参照）。固定軸２５は、カードリーダ１のフレームに固定されている。固定軸２５の軸方向は、左右方向と一致している。レバー部材９は、左右方向を回動の軸方向として、かつ、固定軸２５を中心にして回動可能となっている。
【００３８】
カード当接部９ｃの下端は、平面となっている。図３（Ａ）に示すように、カードリーダ１にカード２を挿入している最中には、平面となっているカード当接部９ｃの下端にカード２の上面が当接する。このときには、カード当接部９ｃの下端は、カード２の上面と略平行になっている。カード当接部９ｃの手前端９ｇは、奥側に向かうにしたがって下側に向かうように傾斜する平面状の傾斜面となっている。したがって、以下の説明では、手前端９ｇを「傾斜面９ｇ」とする。左右方向から見たときに、カード当接部９ｃの下端に対する傾斜面９ｇの傾斜角度θ１（図４（Ａ）参照）は、３７°となっている。
【００３９】
カード当接部９ｃの奥端部の左右方向の幅は、奥側に向かうにしたがって狭くなっている。上下方向から見たときに、カード当接部９ｃの奥端部の左右方向の両側面は、奥側に向かうにしたがって互いに近づくように、前後方向に対して傾斜している（図５参照）。カード当接部９ｃの奥端９ｈは、凸曲面状に形成されている。具体的には、カード当接部９ｃの奥端９ｈは、カード当接部９ｃの奥端部の左右方向の両側面を滑らかに繋げる凸曲面状に形成されている。また、カード当接部９ｃの奥端部の左右方向の両側面は、カード当接部９ｃの奥端部の左右方向の幅が下側に向かうにしたがって狭くなるように傾斜している。カード当接部９ｃの奥端９ｈは、奥側に向かうにしたがって上側へ向かうように傾斜している。
【００４０】
延出部９ｄは、カード移動路４の上側に配置されている。延出部９ｄの奥端部の下面には、規制ピン１１が当接する平面状の当接面９ｊが形成されている。当接面９ｊは、奥側に向かうにしたがって上側へ向かうように傾斜する傾斜面となっている。左右方向から見たときに、カード当接部９ｃの下端に対する当接面９ｊの傾斜角度θ２（図４（Ａ）参照）は、１７°となっている。
【００４１】
ネジリコイルバネ１０には、固定軸２５が挿通されている。ネジリコイルバネ１０は、回動中心部９ａの左側に配置されている。ネジリコイルバネ１０の一端は、カードリーダ１のフレームに形成されたバネ係合部２６に係合し、ネジリコイルバネ１０の他端は、レバー部材９に形成された係合突起９ｋに係合している。ネジリコイルバネ１０は、反時計方向にレバー部材９を付勢している。
【００４２】
カード２が挿入されていないときには、ネジリコイルバネ１０の付勢力によって、図２に示すように、カード移動路４の右前端部の下面に形成される凹部２７の底面にカード当接部９ｃの下端が接触している。カード当接部９ｃの下端が凹部２７の底面に接触しているときのレバー部材９の位置が閉位置９Ａとなっている。カード当接部９ｃは、レバー部材９が閉位置９Ａに配置されているときに、カード移動路４の一部を閉鎖している。具体的には、カード当接部９ｃは、レバー部材９が閉位置９Ａに配置されているときに、カード移動路４の右前端側の一部を閉鎖している。
【００４３】
レバー部材９が閉位置９Ａに配置されているときには、カードリーダ１に挿入されるカード２の奥端がカード当接部９ｃの傾斜面９ｇに接触可能となっている。レバー部材９が閉位置９Ａに配置されている状態で、カード２が挿入されると、カード移動路４の右前端側の一部を閉鎖するレバー部材９の傾斜面９ｇにカード２の奥端（先端）が接触する。傾斜面９ｇに奥端が接触したカード２がさらに奥側に挿入されると、傾斜面９ｇがカード２の奥端に沿って移動する。傾斜面９ｇがカード２の奥端に沿って移動すると、図３（Ａ）に示すように、レバー部材９は、ネジリコイルバネ１０の付勢力に抗して時計方向へ回動して、カード移動路４の右前端側の一部を開放する。カード移動路４の右前端側の一部を開放しているときのレバー部材９の位置が開位置９Ｂとなっている。
【００４４】
また、その後さらにカード２が奥側へ挿入され、カード２の手前端がカード当接部９ｃの下側を通過すると、図３（Ｂ）に示すように、レバー部材９はネジリコイルバネ１０の付勢力で凹部２７にカード当接部９ｃの下端が接触するまで反時計方向に回動して（すなわち、閉位置９Ａまで回動して）、カード移動路４の右前端側の一部を閉鎖する。この状態では、カード当接部９ｃの奥端９ｈに、カードリーダ１に挿入されているカード２の手前端が接触可能となっている。すなわち、レバー部材９が閉位置９Ａに配置されているときには、カードリーダ１に挿入されているカード２の手前端がカード当接部９ｃの奥端９ｈに接触可能となっている。
【００４５】
レバー部材９が閉位置９Ａに配置されている状態で、カードリーダ１に挿入されているカード２が手前側に向かって引かれると、レバー部材９のカード当接部９ｃの奥端９ｈにカード２の手前端が接触する。カード当接部９ｃの奥端９ｈに手前端が接触したカード２がさらに手前側に引かれると、カード当接部９ｃの奥端９ｈがカード２の手前端に沿って移動する。カード当接部９ｃの奥端９ｈがカード２の手前端に沿って移動すると、レバー部材９は、ネジリコイルバネ１０の付勢力に抗して時計方向へ回動して、カード移動路４の右前端側の一部を開放する。
【００４６】
レバー部材９には、カード２の有無を検知するための遮光部９ｎが形成されている。遮光部９ｎは、回動中心部９ａの奥側から左側に向かって突出している。遮光部９ｎは、レバー部材９が閉位置９Ａにあるときに、センサ１４の発光素子から受光素子へ向かう光を遮る（図２、図３（Ｂ）参照）。一方、レバー部材９が開位置９Ｂにあるときには、第１センサ１４の受光素子が発光素子からの光を受光する（図３（Ａ）参照）。センサ１４の受光素子が発光素子からの光を受光して、センサ１４がオフ状態になると、カードリーダ１の手前端側にカード２があることが検知される。なお、本形態では、センサ１４と遮光部９ｎとによって、カードリーダ１にカード２が挿入されたことも検知される。
【００４７】
（規制ピンおよびその周辺部分の構成）
規制ピン１１は、細長い円柱状に形成されている。規制ピン１１は、規制ピン１１の軸方向と左右方向とが一致するように、ソレノイド１２のプランジャ１２ａの先端側に固定されている。規制ピン１１の左右の両端部は、プランジャ１２ａから左右方向の外側に突出している。規制ピン１１は、固定軸２５とほぼ同じ高さに配置されている。ソレノイド１２は、プランジャ１２ａが奥側に向かって突出するように配置されている。プランジャ１２ａは、延出部９ｄの奥端部の左側に配置されている。プランジャ１２ａは、復帰用の圧縮コイルバネ（図示省略）に挿通されており、圧縮コイルバネによって奥側に付勢されている。
【００４８】
図２、図３（Ａ）に示すように、ソレノイド１２が駆動しておらず（ソレノイド１２に電流が供給されておらず）、圧縮コイルバネの付勢力でプランジャ１２ａが奥側に突出しているときには、規制ピン１１は、当接面９ｊよりも奥側に配置されている。このときの規制ピン１１の位置がレバー部材９の回動を可能とする回動可能位置１１Ｂとなっている。一方、図３（Ｂ）に示すように、ソレノイド１２が駆動して（ソレノイド１２に電流が供給されて）、プランジャ１２ａが手前側に引かれているときには、規制ピン１１の右側部分が当接面９ｊに当接可能な位置に配置されている。このときの規制ピン１１の位置がレバー部材９の回動を規制する回動規制位置１１Ａとなっている。
【００４９】
規制ピン１１の、プランジャ１２ａから右側に突出した部分は、支持部材３１に形成されるガイド溝に挿通されている。規制ピン１１の、プランジャ１２ａから左側に突出した部分は、支持部材３２に形成されるガイド溝に挿通されている。規制ピン１１は、支持部材３１に形成されるガイド溝と支持部材３２に形成されるガイド溝とによって前後方向に案内される。
【００５０】
（カードリーダの概略動作）
カードリーダ１では、カード２が挿入されていないときには、図２に示すように、レバー部材９は、ネジリコイルバネ１０の付勢力によって閉位置９Ａに配置されている。この状態では、プランジャ１２ａが奥側に突出しており、レバー部材９は回動可能となっている。また、この状態では、ＩＣ接点ブロック６は、引張りコイルバネ２１の付勢力によって手前側に付勢されており、ＩＣ接点バネは、カード移動路４の上側に配置されている。また、この状態では、センサ１４はオン状態となっており、センサ１５はオフ状態となっている。
【００５１】
カード２が挿入されてカード２の奥端が傾斜面９ｇに当接すると、挿入されるカード２によって、レバー部材９が、ネジリコイルバネ１０の付勢力に抗して時計方向へ回動して、カード移動路４の右前端側の一部を開放する（図３（Ａ）参照）。レバー部材９が時計方向へ回動すると、遮光部９ｎがセンサ１４の発光素子と受光素子との間から外れ、センサ１４の発光素子からの光を受光素子が受光するため、センサ１４がオフ状態となって、カード２が挿入されたことが検知される。
【００５２】
その後、さらにカード２が奥側へ挿入され、カード２の手前端がカード当接部９ｃの下側を通過すると、図３（Ｂ）に示すように、レバー部材９がネジリコイルバネ１０の付勢力で反時計方向に回動して、カード移動路４の右前端側の一部を閉鎖する。レバー部材９が反時計方向へ回動すると、センサ１４の発光素子から受光素子へ向かう光を遮光部９ｎが遮って、センサ１４は再びオン状態となる。
【００５３】
また、カード２が奥側へ挿入されると、挿入されるカード２によってＩＣ接点ブロック６は奥側にスライドしながら下降して、カード２のＩＣチップにＩＣ接点バネが接触する。この状態で、カード２とカードリーダ１との間でデータの通信が行われる。また、ＩＣ接点ブロック６が奥側にスライドすると、センサ１５の発光素子から受光素子へ向かう光を遮光部６ａが遮るため、センサ１５はオン状態となって、カードリーダ１の奥端側にカード２があることが検知される。
【００５４】
本形態では、一旦オフ状態になったセンサ１４が再びオン状態になり、かつ、センサ１５がオン状態になると、ソレノイド１２が駆動して、図３（Ｂ）に示すように、プランジャ１２ａが手前側に引かれて、当接面９ｊに規制ピン１１が当接可能な状態となる。すなわち、レバー部材９の回動が規制された状態となる。そのため、ユーザがカード２を手前側に引き抜こうとしても、回動が規制されたレバー部材９のカード当接部９ｃの奥端９ｈにカード２の手前端が接触してカード２の引抜きが防止される。
【００５５】
カード２とカードリーダ１との間でデータの通信が終了すると、ソレノイド１２への通電が停止されて、プランジャ１２ａが奥側に突出する。すなわち、レバー部材９が回動可能な状態となる。この状態で、カード２が手前側に向かって引き抜かれる。カード２が引き抜かれるときには、カード２の手前端がカード当接部９ｃの奥端９ｈに当接するため、引き抜かれるカード２によって、レバー部材９は、ネジリコイルバネ１０の付勢力に抗して時計方向へ回動して、カード移動路４の右前端側の一部を開放する。
【００５６】
（本形態の主な効果）
以上説明したように、本形態では、カード当接部９ｃの奥端部の左右方向の幅は、奥側に向かうにしたがって狭くなっている。そのため、本形態では、カード当接部９ｃの奥端９ｈの左右方向の幅を狭くすることが可能になる。したがって、本形態では、カード当接部９ｃの奥端９ｈにカード２の手前端が接触したときの、カード当接部９ｃの奥端９ｈとカード２の手前端との接触面積を小さくすることが可能になる。
【００５７】
そのため、本形態では、粉塵の多い環境下や汚れが付着しやすい環境下でカードリーダ１が使用されて、カード当接部９ｃの奥端９ｈに粉塵や汚れが付着しても、カード当接部９ｃの奥端９ｈにカード２の手前端が接触したときの、カード当接部９ｃの奥端９ｈとカード２の手前端との間の摩擦力を低減することが可能になり、その結果、カード２を引き抜く際に、カード当接部９ｃの奥端９ｈをカード２の手前端に沿って移動させやすくなる。
【００５８】
すなわち、本形態では、粉塵の多い環境下や汚れが付着しやすい環境下でカードリーダ１が使用されて、カード当接部９ｃの奥端９ｈに粉塵や汚れが付着しても、カード２を手前側に引き抜く際に、閉位置９Ａに配置されるレバー部材９を開位置９Ｂまで回動させやくなる。したがって、本形態では、粉塵の多い環境下や汚れが付着しやすい環境下でカードリーダ１が使用されても、カードリーダ１の内部に挿入されたカード２をカードリーダ１から引き抜きやすくすることが可能になる。
【００５９】
本形態では、カード当接部９ｃの奥端９ｈは、凸曲面状に形成されている。そのため、本形態では、カード当接部９ｃの奥端９ｈの左右方向の幅が狭くなっていても、カード当接部９ｃの奥端９ｈにカード２の手前端が当接したときに、カード２に傷がつきにくくなる。
【００６０】
（他の実施の形態）
上述した形態は、本発明の好適な形態の一例ではあるが、これに限定されるものではなく本発明の要旨を変更しない範囲において種々変形実施が可能である。
【００６１】
上述した形態において、カード当接部９ｃの奥端９ｈは、平面状に形成されていても良い。また、カード当接部９ｃの奥端９ｈは、尖っていても良い。すなわち、カード当接部９ｃの奥端９ｈは、直線状に形成されていても良い。また、上述した形態において、上下方向から見たときに、カード当接部９ｃの奥端部の左右方向の一方側の面が前後方向と平行になっていても良い。この場合には、上下方向から見たときに、カード当接部９ｃの奥端部の左右方向の他方側の面は、奥側に向かうにしたがって左右方向の一方側の面に近づくように前後方向に対して傾斜している。
【００６２】
上述した形態において、カード当接部９ｃの手前端部の左右方向の幅が、手前側に向かうにしたがって狭くなっていても良い。この場合には、カード当接部９ｃの手前端９ｇの左右方向の幅を狭くすることが可能になるため、カード当接部９ｃの手前端９ｇにカード２の奥端が接触したときの、カード当接部９ｃの手前端９ｇとカード２の奥端との接触面積を小さくすることが可能になる。
【００６３】
したがって、粉塵の多い環境下や汚れが付着しやすい環境下でカードリーダ１が使用されて、カード当接部９ｃの手前端９ｇに粉塵や汚れが付着しても、カード当接部９ｃの手前端９ｇにカード２の奥端が接触したときの、カード当接部９ｃの手前端９ｇとカード２の奥端との間の摩擦力を低減することが可能になり、その結果、カード２を挿入する際に、カード当接部９ｃの手前端９ｇをカード２の奥端に沿って移動させやすくなる。
【００６４】
すなわち、粉塵の多い環境下や汚れが付着しやすい環境下でカードリーダ１が使用されて、カード当接部９ｃの手前端９ｇに粉塵や汚れが付着しても、カード２を挿入する際に、閉位置９Ａに配置されるレバー部材９を開位置９Ｂまで回動させやくなる。そのため、粉塵の多い環境下や汚れが付着しやすい環境下でカードリーダ１が使用されても、カードリーダ１にカード２を挿入しやすくすることが可能になる。
【００６５】
上述した形態において、レバー部材９は、ステンレス鋼等の金属で形成されていても良い。また、上述した形態において、レバー部材９は、圧縮コイルバネ、引張りコイルバネあるいは板バネ等の、ネジリコイルバネ１０以外のバネ部材によって閉位置９Ａに向かって付勢されていても良い。また、上述した形態において、カードリーダ１は、磁気ヘッド７を備えていなくても良い。
【符号の説明】
【００６６】
１  カードリーダ
２  カード
４  カード移動路
９  レバー部材（引抜き防止部材）
９Ａ  閉位置
９Ｂ  開位置
９ｃ  カード当接部
９ｇ  手前端（カード当接部の手前端）
９ｈ  奥端（カード当接部の奥端）
１０  ネジリコイルバネ（付勢部材）
１１  規制ピン（回動規制部材）
１１Ａ  回動規制位置
１１Ｂ  回動可能位置
１２  ソレノイド（移動機構）
Ｘ  カードの移動方向
Ｘ１  手前側（カードの引抜き方向側）
Ｘ２  奥側（カードの挿入方向側）
Ｙ  カードの幅方向
Ｚ  カードの厚さ方向
【図１】
2020197890.tif 000003
【図２】
2020197890.tif 000004
【図３】
2020197890.tif 000005
【図４】
2020197890.tif 000006
【図５】
2020197890.tif 000007